(57)【要約】【課題】筐体を配置するためのスペースが限られる場合でも、空気の吸引を効率的に行うことができる遊技機用空気清浄機を提供する。【解決手段】遊技機用空気清浄機１０は、筐体１１と、吸引部ユニット１２と、清浄化処理部２５と、駆動モータと、ガスセンサ１４と、制御基板と、を備える。吸引部ユニット１２は、空気を吸引するためのものであり、当該吸引部ユニット１２の一側の側面に形成される吸引口２３と、吸引口２３に吸引力を作用させるために当該吸引口２３に対応して配置されるシロッコファン２２と、を有する。制御基板は、ガスセンサ１４が煙草のガスを検知した場合は、吸引部ユニット１２が、筐体１１に少なくとも一部が収容される待機位置から前側に突出する動作位置に移動するように駆動モータを制御する。【選択図】図５
2010162219.tif 000002
【特許請求の範囲】
【請求項１】
遊技機の側面側に配置される遊技機用空気清浄機において、
筐体と、
空気を吸引するための吸引部ユニットと、
前記吸引部ユニットによって吸引した空気を清浄化処理する清浄化処理部と、
前記吸引部ユニットを前後方向に移動させるための駆動部と、
煙草のガス又は煙を検知する検知部と、
前記検知部が煙草のガス又は煙を検知した場合は、前記吸引部ユニットが、前記筐体に少なくとも一部が収容される待機位置から前側に突出する動作位置に移動するように前記駆動部を制御する制御部と、
を備え、
前記吸引部ユニットは、
当該吸引部ユニットの少なくとも一側の側面に形成される吸引口と、
前記吸引口に吸引力を作用させるために当該吸引口に対応して配置される吸引ファンと、
を有することを特徴とする遊技機用空気清浄機。
【請求項２】
請求項１に記載の遊技機用空気清浄機であって、
前記清浄化処理部で処理した後の空気を前記筐体の外側に送り出すための送出口を備え、
前記送出口は、前記筐体の前面側に１又は複数形成されていることを特徴とする遊技機用空気清浄機。
【請求項３】
請求項２に記載の遊技機用空気清浄機であって、
前記吸引部ユニットは、前記吸引ファンで吸引した空気を前記筐体側に送り込むためのユニット接続口を有し、
前記筐体内には、前記吸引部ユニットが前記動作位置に移動したときに、前記送出口と前記ユニット接続口とを接続する送出経路が形成されていることを特徴とする遊技機用空気清浄機。
【請求項４】
請求項１から３までの何れか一項に記載の遊技機用空気清浄機であって、
前記吸引部ユニットには、前記吸引ファンが上下方向に並べて複数配置されることを特徴とする遊技機用空気清浄機。
【請求項５】
請求項１から４までの何れか一項に記載の遊技機用空気清浄機であって、
前記吸引部ユニットを前記待機位置から前記動作位置へ移動させる操作が少なくとも可能な操作部を備えることを特徴とする遊技機用空気清浄機。
【発明の詳細な説明】
【技術分野】
【０００１】
本発明は遊技機の側面に配置される空気清浄機に関するものである。
【背景技術】
【０００２】
パチンコ機やスロット機等の遊技機に用いられる空気清浄機において、並列配置される遊技機の機台間に挟み込まれて配置される構成が従来から知られている。機台間に空気清浄機を配置することによって、遊技機を使用する遊技者に近い位置で、空気を清浄化することができるメリットがある。この種の遊技機用の空気清浄機を開示したものに特許文献１がある。
【先行技術文献】
【特許文献】
【０００３】
【特許文献１】特開２００８−２６４０５９号公報
【発明の概要】
【発明が解決しようとする課題】
【０００４】
遊技機は左右方向に多数並べて使用することが通常であるため、スペースを効率的に活用するという観点から、機台間の間隔はできるだけ小さいことが好ましい。特許文献１の構成では、パチンコ機の間の所定の隙間に適合するように薄型の本体ケースを採用することで、空気清浄機の左右方向の寸法をコンパクトに構成している。しかし、薄型の本体ケースを採用した場合、空気を吸引するための吸引口の面積を本体ケースの前面側に大きく確保することが困難であった。そのため、拡散する煙草の煙等を十分に吸引することができないことがあり、吸引性能の向上という観点から改善の余地があった。
【０００５】
本発明は、以上の事情に鑑みてなされたものであり、その目的は、筐体を配置するためのスペースが限られる場合でも、空気の吸引を効率的に行うことができる遊技機用空気清浄機を提供することにある。
【課題を解決するための手段及び効果】
【０００６】
本発明の解決しようとする課題は以上の如くであり、次にこの課題を解決するための手段とその効果を説明する。
【０００７】
本発明の観点によれば、遊技機の側面側に配置される遊技機用空気清浄機において以下の構成が提供される。即ち、遊技機用空気清浄機は、筐体と、吸引部ユニットと、清浄化処理部と、駆動部と、検知部と、制御部と、を備える。前記吸引部ユニットは、空気を吸引するためのものである。前記清浄化処理部は、前記吸引部ユニットによって吸引した空気を清浄化処理する。前記駆動部は、前記吸引部ユニットを前後方向に移動させるためのものである。前記検知部は、煙草のガス又は煙を検知する。前記制御部は、前記検知部が煙草のガス又は煙を検知した場合は、前記吸引部ユニットが、前記筐体に少なくとも一部が収容される待機位置から前側に突出する動作位置に移動するように前記駆動部を制御する。そして、前記吸引部ユニットは、当該吸引部ユニットの少なくとも一側の側面に形成される吸引口と、前記吸引口に吸引力を作用させるために当該吸引口に対応して配置される吸引ファンと、を有する。
【０００８】
これにより、前後方向の寸法を容易に確保できる吸引部ユニットの側面に吸引口を配置することで、当該吸引口を広範囲に形成することができる。また、煙草のガス又は煙が検知されると吸引部ユニットが自動的に前側に移動するので、遊技機の前側にある煙を吸引部ユニットの側面から効率的に吸引できる。従って、筐体を設置するスペースが小さい場合でも、吸引範囲を大きく確保できるので、省スペース性と高い吸引性能を両立した構成を実現できる。更に、動作位置の吸引部ユニットは筐体の前側に位置しているので、煙の側面方向への移動を規制する障壁として機能し、煙の拡散を防止することができる。
【０００９】
前記の遊技機用空気清浄機においては、以下のように構成されることが好ましい。即ち、遊技機用空気清浄機は、前記清浄化処理部で処理した後の空気を前記筐体の外側に送り出すための送出口を備える。前記送出口は、前記筐体の前面側に１又は複数形成されている。
【００１０】
これにより、清浄化処理された空気が前面側に排出されることによって、送出口が形成される部分の前面に空気の障壁が形成されることになる。この空気の障壁によって、煙が筐体の前面側を横切るように通過して他側に移動しようとする動きを効果的に規制できる。
【００１１】
前記の遊技機用空気清浄機においては、以下のように構成されることが好ましい。前記吸引部ユニットは、前記吸引ファンで吸引した空気を前記筐体側に送り込むためのユニット接続口を有する。前記筐体内には、前記吸引部ユニットが前記動作位置に移動したときに、前記送出口と前記ユニット接続口とを接続する送出経路が形成されている。
【００１２】
これにより、吸引部ユニットから筐体の前面側に形成される送出口までの経路を迂回等することなく直接的に接続できるので、経路距離を短縮できる。これによって、装置をシンプルに構成できるとともに、空気の障壁の形成を良好に行うことができる。
【００１３】
前記の遊技機用空気清浄機においては、前記吸引部ユニットには、前記吸引ファンが上下方向に並べて複数配置されることが好ましい。
【００１４】
これにより、吸引部ユニットの上下方向のスペースを利用して吸引ファンを配置するので、吸引部ユニットの左右方向のコンパクトな寸法を維持しつつ、吸引性能を一層向上させることができる。
【００１５】
前記の遊技機用空気清浄機においては、前記吸引部ユニットを前記待機位置から前記動作位置へ移動させる操作が少なくとも可能な操作部を備えることが好ましい。
【００１６】
これにより、検知部が煙草のガス又は煙を検知していない場合等においても、操作部を操作することで吸引部ユニットを動作位置へ移動させて清浄化処理を行うことができる。
【図面の簡単な説明】
【００１７】
【図１】本発明の一実施形態に係るパチンコ機の機台間に配置される遊技機用空気清浄機の様子を示した斜視図。
【図２】吸引部ユニットが待機位置にあるときの遊技機用空気清浄機の様子を模式的に示した側面図。
【図３】吸引部ユニットが動作位置にあるときの遊技機用空気清浄機の様子を模式的に示した側面図。
【図４】吸引部ユニットが待機位置にあるときの遊技機用空気清浄機の様子を示した斜視図。
【図５】吸引部ユニットが動作位置にあるときの遊技機用空気清浄機の様子を示した斜視図。
【発明を実施するための形態】
【００１８】
以下に、本発明の好適な実施形態について図面を参照しながら説明する。図１は、本発明の一実施形態に係るパチンコ機（遊技機）１の機台間に配置される遊技機用空気清浄機１０の様子を示した斜視図である。図２は、吸引部ユニット１２が待機位置にあるときの遊技機用空気清浄機１０の様子を模式的に示した側面図である。図３は、吸引部ユニット１２が動作位置にあるときの遊技機用空気清浄機１０の様子を模式的に示した側面図である。図４は、吸引部ユニット１２が待機位置にあるときの遊技機用空気清浄機１０の様子を示した斜視図である。図５は、吸引部ユニット１２が動作位置にあるときの遊技機用空気清浄機１０の様子を示した斜視図である。
【００１９】
図１に示すように、パチンコ機１は、その正面側がパチンコホールの島間の通路を向くようにして、左右方向に並列配置されている。煙草の煙を吸引して清浄化するための遊技機用空気清浄機１０は、この並列配置されるパチンコ機１の機台間に挟み込まれて配置されており、パチンコ機１の側面に隣接した状態で固定されている。パチンコ機１が備える正面パネルの下方には、煙草の灰皿等を載置可能な台が配置されている。
【００２０】
図２及び図３に示すように、本実施形態の遊技機用空気清浄機１０は、筐体１１と、吸引部ユニット１２と、駆動モータ（駆動部）１３と、ガスセンサ（検知部）１４と、制御基板（制御部）１５と、手動スイッチ（操作部）１６と、を主要な構成として備えている。以下に各部の構成について説明する。
【００２１】
筐体１１は、遊技機用空気清浄機１０が備える各種の装置及び部材等を支持するためのものである。図４及び図５に示すように、本実施形態の筐体１１は、遊技機用空気清浄機１０の左右方向の寸法を小さくするために、縦に細長い直方体形状に形成されている。
【００２２】
筐体１１の正面の上部には、浄化処理を行った空気を筐体１１外に送り出すための矩形状の送出口５１が上下方向に並んで複数形成されている。また、筐体１１内の上部には、後述する吸引部ユニット１２で吸引した空気を送出口５１から筐体１１外に送り出すための送出経路３０が形成されている。なお、この送出経路３０の構成については後述する。
【００２３】
吸引部ユニット１２は、煙を吸引して浄化処理を行うためのものであり、前記送出経路３０の下方に配置されている。本実施形態の吸引部ユニット１２は、ユニットケース２１と、シロッコファン（吸引ファン）２２と、吸引口２３と、ユニット接続口２４と、清浄化処理部２５と、を主要な構成として有している。
【００２４】
ユニットケース２１は、縦に細長い略直方体形状に形成されている。また、ユニットケース２１の側面部分には、煙をユニットケース２１内に吸引するための吸引口２３が上下方向に並んで２つ形成されている。本実施形態において吸引口２３は丸孔状に形成されており、この吸引口２３の部分には適宜の防塵用のフィルタが取り付けられている。また、ユニットケース２１の上面の後部には、吸引部ユニット１２によって取り込んだ空気を筐体１１側に送り込むための孔状のユニット接続口２４が形成されている。
【００２５】
図２及び図３に示すように、シロッコファン２２は、吸引口２３の位置に対応するようにユニットケース２１内に上下方向に２つ並べて配置されている。このシロッコファン２２は、回転体４２と、外装カバー４３と、図略の駆動源（例えば電動モータ）と、を主要な構成として有している。回転体４２は、複数の羽根状部材４１が周面に取り付けられて構成されている。外装カバー４３は、回転体４２によって生じた風を一定の方向に送り出すとともに、内部の構成を覆って保護する機能を果たしている。前記駆動源は、回転体４２を回転駆動するためのものであり、例えば電動モータを採用することができる。本実施形態のシロッコファン２２は、回転体４２の軸方向が左右方向（ユニットケース２１の側面方向）を向くように配置されており、外装カバー４３の吹出口は後上方を向くように形成されている。
【００２６】
また、ユニットケース２１のユニット接続口２４の部分には、清浄化処理部２５が取り付けられている。清浄化処理部２５は、煙（空気）を清浄化処理するためのものであり、シロッコファン２２によって吸引された空気は、この清浄化処理部２５を通過することで浄化される。この清浄化処理部２５としては、紫外線ランプを用いてオゾンを発生させるものや活性炭を利用するもの等、適宜の構成を採用することができる。
【００２７】
駆動モータ１３は、吸引部ユニット１２を前後方向に移動させるためのものであり、その出力軸が上下方向を向くようにして吸引部ユニット１２の下方に配置されている。本実施形態の吸引部ユニット１２は、駆動モータ１３とラックアンドピニオン機構６０とによって、筐体１１内に収容される待機位置（図２及び図４参照）と、筐体１１から前側に突出する動作位置（図３及び図５参照）と、の間を移動可能に構成されている。
【００２８】
ラックアンドピニオン機構６０は吸引部ユニット１２の下部に配置されており、ピニオンと、このピニオンに噛合するラックと、を主要な構成として有している。前記ピニオンは、軸方向が上下方向を向くようにしてユニットケース２１の下部に配置されており、前記駆動モータ１３の出力軸に連結されている。前記ラックは、その長手方向が前後方向を向くように配置されており、ユニットケース２１の下部に一体的に固定されている。また、吸引部ユニット１２には、前後方向の移動をスムーズに行うための図略のレール機構と、動作位置での位置決めを行うための位置決め機構と、が配置されている。この構成で、駆動モータ１３が駆動されるとピニオンが回転し、ラックに一体的に固定されるユニットケース２１が前後方向に移動する。これによって、待機位置から動作位置、動作位置から待機位置への吸引部ユニット１２の移動が可能となっている。
【００２９】
吸引部ユニット１２が待機位置にあるときは、図４に示すように、ユニットケース２１の側面がほぼ全面にわたって筐体１１に覆われるような形になっており、ユニットケース２１の正面側の一部のみが外部に露出した状態となっている。一方、吸引部ユニット１２が動作位置にあるときは、図５に示すように、ユニットケース２１の側面部分が大きく露出した状態となっており、当該ユニットケース２１の側面に形成される吸引口２３も外部に全面的に露出している。
【００３０】
ガスセンサ１４は、煙草の煙とともに発生する煙草のガスを検知するためのものであり、筐体１１の正面の下部に配置されている。このガスセンサ１４は、筐体１１内で制御基板１５に電気的に接続されており、煙草が燃えることによって発生するガスを検出すると、その検出信号を制御基板１５に送信するように構成されている。
【００３１】
制御部としての制御基板１５は、演算部としてのＣＰＵ、記憶部としてのメモリ等を主要な構成として有しており、吸引部ユニット１２の下方であって、筐体１１内の底部に配置されている。制御基板１５は、前記ガスセンサ１４からの信号に基づいて前記駆動モータ１３を制御可能に構成されている。また、この制御基板１５にはシロッコファン２２の前記駆動源が電気的に接続されており、シロッコファン２２の駆動及び停止についても制御可能に構成されている。
【００３２】
本実施形態において、制御基板１５及び駆動モータ１３は、吸引部ユニット１２の下方に配置されている。このように、制御基板１５及び駆動モータ１３が吸引部ユニット１２の下側にまとめて配置されているので、制御基板１５と駆動モータ１３とを接続するための配線等をコンパクトにまとめることができる。また、制御基板１５及び駆動モータ１３が送出経路３０の下方に配置されているので、制御基板１５及び駆動モータ１３が空気を送出するための経路の障害となることもなく、筐体内のスペースを効率的に活用できる。
【００３３】
手動スイッチ１６は、筐体１１の正面下部であって、前記ガスセンサ１４の上方に配置されている。この手動スイッチ１６はプッシュボタンスイッチとして構成されており、制御基板１５に電気的に接続されている。前記制御基板１５は、手動スイッチ１６から送信される信号に基づいて駆動モータ１３やシロッコファン２２の駆動を制御可能に構成されている。なお、手動スイッチ１６の操作についての詳細は後述する。
【００３４】
次に、送出経路３０について説明する。送出経路３０は、動作位置にある吸引部ユニット１２のユニット接続口２４と、筐体１１の前面に形成される送出口５１と、を接続するためのものである。送出経路３０の下面前側には、吸引部ユニット１２のユニット接続口２４と、送出口５１と、を接続するための筐体接続口３１が孔状に形成されている。
【００３５】
ユニット接続口２４と送出経路３０との接続について説明する。吸引部ユニット１２が待機位置から動作位置に移動すると、ユニットケース２１上面の後側に形成されるユニット接続口２４が前側に変位して、筐体接続口３１の位置まで移動する。この移動によって、ユニット接続口２４と筐体接続口３１が、上下方向で、互いに略全面が対面するような形になる。これによって、吸引部ユニット１２の吸引口２３から筐体１１の送出口５１までの流路を筐体１１内に形成し、空気をスムーズに送り出すことができる。また、ユニット接続口２４から送出口５１までの送出経路３０を筐体１１内で迂回させることなく形成できるので、空気の流路長を短くすることができる。なお、本実施形態においては、吸引部ユニット１２が待機位置にある状態では、ユニット接続口２４と筐体接続口３１は、それぞれの端部近傍の一部だけが重なり合う状態となっている。
【００３６】
送出経路３０内の送出口５１近傍には、板状部材で構成される風向板３２が上下方向に適宜の間隔を空けて複数配置されている。風向板３２は、送出口５１側から後方に向かうに従って下方に傾斜しており、ユニット接続口２４から送り込まれる空気をそれぞれの送出口５１に案内するガイド板として機能している。また、これらの風向板３２は、その長手方向の長さがそれぞれ異なるように構成されており、上方に配置される風向板３２であればあるほど、その長さが長くなるように構成されている。これによって、ユニット接続口２４から送り込まれてきた空気は、風向板３２によってそれぞれの送出口５１に適度に振り分けられることになる。
【００３７】
風向板３２によって案内されてきた空気は、送出口５１から筐体１１の前方及び前上方に送り出され、これによって、筐体１１の前側にエアカーテン（空気の障壁）が形成される。本実施形態では、吸引部ユニット１２から筐体１１内に送り込まれてきた空気は、送出経路３０で風向板３２によって複数の送出口５１に適度に分配されているので、エアカーテンを良好に形成することができる。このエアカーテンによって、煙が遊技機用空気清浄機１０の前側を横切るように通過することを妨げ、煙の拡散を抑制できる。また、動作位置の吸引部ユニット１２は筐体１１から前側に突出した状態となっているので、前記エアカーテンとともに煙の移動を規制する障壁（仕切り）として機能し、煙の拡散の防止に寄与することができる。
【００３８】
次に、煙草のガスを検知した場合の制御基板１５による制御について説明する。まず、制御基板１５は、ガスセンサ１４の検出信号を調べる。煙草のガスを検出した旨の検出信号を制御基板１５がガスセンサ１４から受信すると、制御基板１５は、駆動モータ１３を駆動させてユニットケース２１を動作位置に移動させるとともに、シロッコファン２２を駆動し、清浄化処理を開始させる。このシロッコファン２２の駆動によって、吸引口２３から吸引部ユニット１２内に吸い込まれた空気は、清浄化処理部２５に送り込まれて浄化された後、送出経路３０を通って送出口５１から外部に送り出される。制御基板１５は、ガスセンサ１４が煙草のガスを検知している限りはシロッコファン２２の駆動を継続するので、清浄化処理は連続的に行われる。
【００３９】
制御基板１５は、ガスセンサ１４が煙草のガスを検知しない状態が所定時間継続すると、シロッコファン２２の駆動をいったん停止し、この状態で吸引部ユニット１２を動作位置で所定時間待機させる。この所定時間内にガスセンサ１４が煙草のガスを検知しなかった場合は駆動モータ１３を制御して、当該吸引部ユニット１２を待機位置に移動させる。シロッコファン２２の駆動を停止してから所定時間内に煙草のガスを検知した場合は、再びシロッコファン２２を駆動させる。シロッコファン２２の駆動を停止してから所定時間内に煙草のガスが検知されなくなるまでこの処理を繰り返す。
【００４０】
このように、ガスセンサ１４が煙草のガスを検知した場合は、吸引部ユニット１２が筐体１１の前側に突出して自動的に吸引動作を行い、ガスセンサ１４が煙草のガスを検知しなくなると、吸引を停止して待機位置に戻るような制御が行われる。制御基板１５がこの処理を繰り返すことによって、遊技機用空気清浄機１０が側面側に配置されるパチンコ機１近傍の空気の清浄化が行われる。ガスセンサ１４が煙草のガスを検知しない場合は、吸引部ユニット１２はシロッコファン２２を駆動することなく待機位置で待機しているので、シロッコファン２２を無用に駆動する必要がなく、消費電力を効率的に低減することができる。更には、煙草のガスを検知すると吸引部ユニット１２が自動的に突出してくる意外性が遊技者の楽しい興味をそそるので、遊技機とともに用いるのに好適である。
【００４１】
次に手動スイッチ１６の操作について、吸引部ユニット１２の動作状況ごとに場合を分けて説明する。
【００４２】
最初に、吸引部ユニット１２が待機位置にあるときに手動スイッチ１６が押された場合を説明する。手動スイッチ１６からの操作信号が制御基板１５に入力されると、当該制御基板１５は、吸引部ユニット１２を動作位置に移動させるように駆動モータ１３を制御するとともに、シロッコファン２２の駆動を開始する。即ち、吸引部ユニット１２が待機位置にあるときに遊技者等が手動スイッチ１６を押すと、ガスセンサ１４が煙草のガスを検知したときと同じように駆動モータ１３及びシロッコファン２２が制御されることになる。これによって、例えば遠方から煙草の煙が流れて来ているが、ガスセンサ１４でそのガスを検知するまでには至らない状態のときに、手動スイッチ１６を操作することで、吸引部ユニット１２による清浄化処理を素早く開始させることができる。
【００４３】
次に、吸引部ユニット１２が動作位置にあって、かつシロッコファン２２が駆動されているときに、手動スイッチ１６が押された場合を説明する。この場合、手動スイッチ１６の操作を検出した制御基板１５は、（ガスセンサ１４の検知結果にかかわらず）シロッコファン２２の駆動を直ちに停止させるように制御する。その後、吸引部ユニット１２は動作位置で待機し、所定時間内にガスセンサ１４が煙草のガスを検知しなかった場合は、待機位置に戻るように駆動モータ１３が制御される。即ち、吸引部ユニット１２がシロッコファン２２による吸引動作を行っているときに、遊技者等が手動スイッチ１６を押すと、シロッコファン２２の駆動が所定時間経過する前に停止し、清浄化処理が中止されることになる。
【００４４】
次に、吸引部ユニット１２が動作位置にあって、かつシロッコファン２２が駆動されていないときに、手動スイッチ１６が押された場合を説明する。この場合、手動スイッチ１６の操作を検出した制御基板１５は、吸引部ユニット１２を直ちに待機位置に戻すように駆動モータ１３を制御する。即ち、シロッコファン２２の駆動が停止し、吸引部ユニット１２が動作位置で待機しているときに、遊技者等が手動スイッチ１６を押すと、吸引部ユニット１２が即座に待機位置に戻ることになる。
【００４５】
このように、本実施形態の遊技機用空気清浄機１０は、手動スイッチ１６を操作することによって、吸引部ユニット１２に所定の動作を行わせることが可能に構成されている。具体的には、待機位置と動作位置との間で吸引部ユニット１２を移動させたり、シロッコファン２２の駆動／停止を切り替えたりことができる。
【００４６】
以上に示すように、本実施形態の遊技機用空気清浄機１０は以下のように構成される。即ち、遊技機用空気清浄機１０は、筐体１１と、吸引部ユニット１２と、清浄化処理部２５と、駆動モータ１３と、ガスセンサ１４と、制御基板１５と、を備える。吸引部ユニット１２は、空気を吸引するためのものである。清浄化処理部２５は、吸引部ユニット１２によって吸引した空気を清浄化処理する。駆動モータ１３は、吸引部ユニット１２を前後方向に移動させるためのものである。ガスセンサ１４は、煙草のガスを検知する。制御基板１５は、ガスセンサ１４が煙草のガスを検知した場合は、吸引部ユニット１２が、筐体１１に少なくとも一部が収容される待機位置から前側に突出する動作位置に移動するように駆動モータ１３を制御する。そして、吸引部ユニット１２は、当該吸引部ユニット１２の一側の側面に形成される吸引口２３と、吸引口２３に吸引力を作用させるために当該吸引口２３に対応して配置されるシロッコファン２２と、を有する。
【００４７】
これにより、前後方向の寸法を容易に確保できる吸引部ユニット１２の側面に吸引口２３を配置することで、当該吸引口２３を広範囲に形成することができる。また、煙草のガスの検知により、吸引部ユニット１２が自動的に前側に移動するので、パチンコ機１の前側にある煙を吸引部ユニット１２の側面から効率的に吸引できる。従って、筐体１１を設置するスペースが小さい場合でも吸引範囲を大きく確保できるので、省スペース性と高い吸引性能を両立した構成を実現できる。また、動作位置の吸引部ユニット１２は筐体１１の前側に位置しているので、煙の側面方向への移動を規制する障壁として機能し、煙の拡散を防止することができる。更に、ガスセンサ１４が煙草のガスを検知した場合だけシロッコファン２２を駆動するので、消費電力を抑制することができる。
【００４８】
本実施形態の遊技機用空気清浄機１０においては、以下のように構成される。即ち、遊技機用空気清浄機１０は、清浄化処理部２５で処理した後の空気を筐体１１の外側に送り出すための送出口５１を備える。送出口５１は、筐体１１の前面側に複数形成されている。
【００４９】
これにより、清浄化処理された空気が前面側に排出されることによって、送出口５１が形成される部分の前面に空気の障壁（エアカーテン）が形成されることになる。この空気の障壁によって、煙が筐体１１の前面側を通過して隣接するパチンコ機１側に移動しようとする動きを効果的に規制できる。従って、パチンコ機１を使用している遊技者が、隣の遊技者の喫煙によって生じた煙を吸ってしまうことを効果的に防止できる。
【００５０】
本実施形態の遊技機用空気清浄機１０においては、以下のように構成される。吸引部ユニット１２は、シロッコファン２２で吸引した空気を筐体１１側に送り込むためのユニット接続口２４を有する。筐体１１内には、吸引部ユニット１２が動作位置に移動したときに、送出口５１とユニット接続口２４とを接続する送出経路３０が形成されている。
【００５１】
これにより、吸引部ユニット１２から筐体１１の前面側に形成される送出口５１までの経路を迂回等することなく直接的に接続できるので、経路距離を短縮できる。これによって、装置をシンプルに構成できるとともに、空気の障壁の形成を良好に行うことができる。
【００５２】
本実施形態の遊技機用空気清浄機１０においては、吸引部ユニット１２には、シロッコファン２２が上下方向に並べて２つ配置される。
【００５３】
これにより、吸引部ユニット１２の上下方向のスペースを利用してシロッコファン２２を配置するので、吸引部ユニット１２の左右方向のコンパクトな寸法を維持しつつ、吸引性能を一層向上させることができる。
【００５４】
また、本実施形態の遊技機用空気清浄機１０においては、吸引部ユニット１２を待機位置から動作位置へ移動させる操作等が可能な手動スイッチ１６を備える。
【００５５】
これにより、ガスセンサ１４が煙草のガスを検知していない場合等でも、手動スイッチ１６を操作することで吸引部ユニット１２による清浄化処理を行うことができる。例えば、煙草のガスが上方に流れてガスセンサ１４が検知しなかった場合や、隣から煙が流れてきた場合等でも、遊技者等が手動スイッチ１６を操作して吸引部ユニット１２を素早く確実に動作させることができる。また、本実施形態では、煙草の煙を吸引し終えて、それ以上シロッコファン２２を駆動させる必要がないときには、手動スイッチ１６で清浄化処理を途中で停止させることもできる。このように、手動スイッチ１６の操作によって、様々な状況に応じて吸引部ユニット１２を適切に動作させることが可能になっている。
【００５６】
以上に本発明の好適な実施形態を説明したが、上記の構成は更に以下のように変更することができる。
【００５７】
上記実施形態の吸引部ユニット１２が有するシロッコファン２２は２つであるが、この構成は適宜変更することができる。例えば、吸引部ユニット１２に配置されるシロッコファンの数を１つにしたり、３つ以上にしたりすることができる。
【００５８】
また、上記実施形態では、清浄化処理部２５は吸引部ユニット１２に内蔵されているが、この構成は適宜変更できる。例えば、筐体接続口３１に清浄化処理部２５を配置する構成に変更できる。このように、清浄化処理部２５は吸引部ユニット１２側ではなく筐体１１側に配置することも可能である。
【００５９】
また、上記実施形態では、ラックアンドピニオン機構６０と駆動モータ１３によってユニットケース２１（吸引部ユニット１２）が前後方向に移動するように構成されているが、この構成は適宜変更できる。例えば、ベルト駆動を利用した構成に変更できる。より具体的には、前後方向の一側には、駆動モータに接続される駆動プーリを配置し、他側には従動プーリを配置し、これらの駆動プーリと従動プーリとの間にベルトを張架する。そして、このベルトにユニットケース２１を固定して、ベルトを駆動モータで駆動することで吸引部ユニットを前後方向に移動させる。
【００６０】
また、上記実施形態のガスセンサ１４は、筐体１１の正面の下部に配置されているが、ガスセンサ１４が、筐体１１の正面の上部に配置される構成や、ユニットケース２１の正面側に配置される構成に変更することができる。このように、ガスセンサ１４の配置場所は、事情に応じて適宜変更することができる。
【００６１】
また、上記実施形態の構成に代えて、シロッコファン２２の駆動中にガスセンサ１４が煙草のガスを検知しなくなると、シロッコファン２２の駆動を停止し、それと同時に吸引部ユニット１２を動作位置から待機位置に移動させるように制御基板１５が制御する構成に変更できる。このように、制御基板１５の制御方法は、事情に応じて適宜変更することができる。
【００６２】
また、上記実施形態では、検知部としてガスセンサ１４を採用しているが、例えば光学式センサを用いて煙を検知する構成に変更することもできる。このように、煙草のガス又は煙を検知する構成であれば、検知部の構成は事情に応じて適宜変更することができる。
【００６３】
また、上記実施形態から手動スイッチ１６を省略する構成に変更することもできる。
【００６４】
また、上記実施形態の遊技機用空気清浄機１０はパチンコ機１の間に挟み込まれて配置されているが、本発明は、一側のみがパチンコ機１に隣接している構成にも当然に適用することができる。また、パチンコ機１と遊技機用空気清浄機１０の間に他の部材や装置を配置した状態で遊技機用空気清浄機１０を使用することもできる。ただし、遊技者の喫煙による煙を確実に浄化する観点からは、パチンコ機１と遊技機用空気清浄機１０はできるだけ近接して配置されることが好ましい。
【００６５】
更に、本実施形態の遊技機用空気清浄機１０の側面に配置される遊技機は、パチンコ機１に限定されるわけではなく、スロット機等に変更することが可能である。
【符号の説明】
【００６６】
１  パチンコ機（遊技機）
１０  遊技機用空気清浄機
１１  筐体
１２  吸引部ユニット
１３  駆動モータ（駆動部）
１４  ガスセンサ（検知部）
１５  制御基板（制御部）
１６  手動スイッチ（操作部）
２２  シロッコファン（吸引ファン）
２３  吸引口
２４  ユニット接続口
３０  送出経路
５１  送出口
【図１】
2010162219.tif 000003
【図２】
2010162219.tif 000004
【図３】
2010162219.tif 000005
【図４】
2010162219.tif 000006
【図５】
2010162219.tif 000007